(57)【要約】【課題】機械的に連動して回転する複数の指針を短時間に基準配置にすることのできる電子時計を提供する。【解決手段】機械的に連動して回転する３本の指針４〜６のうち、回転比が大きい方の秒針４と分針５が予め定められた回転位置（００分００秒）となり、回転比が小さい方の時針６については任意の回転位置にある配置（ｃ）を、指針４〜６の基準配置として設定している。これにより、連動する３本の指針４〜６を短時間に基準配置に移動させて、秒針４や分針５の位置調整の処理を行うことが可能となる。【選択図】図２
2011022105.tif 000002
【特許請求の範囲】
【請求項１】
機械的に連動して回転するとともに回転位置により情報を表示する複数の回転体と、該複数の回転体を駆動する駆動手段と、を備えた電子時計において、
前記駆動手段の駆動回数に基づいて前記複数の回転体の回転位置を計数する針位置計数手段と、
該針位置計数手段の計数値により表わされる前記複数の回転体の回転位置が、基準配置に合致した回転位置となるように、前記複数の回転体を前記駆動手段により回転移動させる移動制御手段と、
を備え、
前記基準配置は、
前記複数の回転体のうち回転比が大きい方の１個又は複数の高速回転体が予め定められた回転位置となり、当該複数の回転体のうち前記高速回転体を除く１個又は複数の低速回転体が任意の回転位置にある配置に設定されていることを特徴とする電子時計。
【請求項２】
前記複数の回転体は、指針または回転円板を含むことを特徴とする請求項１記載の電子時計。
【請求項３】
前記移動制御手段により前記複数の回転体が前記基準配置に回転移動した後、当該複数の回転体の位置調整の処理を実行する位置調整手段を備えていることを特徴とする請求項１記載の電子時計。
【請求項４】
前記複数の回転体は、時針、分針、秒針であり、
前記基準配置は、
前記針位置計数手段の計数値により表わされる回転位置で、前記秒針と前記分針とが０分０秒の回転位置となり、前記時針が任意の回転位置にある配置に設定されていることを特徴とする請求項１記載の電子時計。
【請求項５】
外部から指令を入力する操作部を備え、
前記位置調整手段は、
前記操作部を介して前記高速回転体の回転位置の調整量を外部から入力する調整量入力手段と、
該調整量入力手段により入力された調整量を前記針位置計数手段の計数値に反映させる計数値反映手段と、
を含んでいることを特徴とする請求項３記載の電子時計。
【請求項６】
前記調整量入力手段は、
所定の調整可能範囲より大きな調整量の入力を制限することを特徴とする請求項５記載の電子時計。
【請求項７】
前記調整可能範囲は、前記高速回転体のうち回転比が一番小さい回転体が３６０°回転する調整幅より小さな範囲に設定されていることを特徴とする請求項６記載の電子時計。
【発明の詳細な説明】
【技術分野】
【０００１】
この発明は、指針や回転円板などの回転体により情報を表示する電子時計に関する。
【背景技術】
【０００２】
指針をモータにより回転させて時刻を表示する電子時計においては、電子時計が強磁場中に置かれたり電子時計に強い衝撃が加わったりすることで、モータに回転パルスを出力したのにモータが回転しなかったり、或いは、回転パルスを出力していないのにモータが回転して指針が動いてしまうといったことが稀に生じる。
【０００３】
このような現象が生じると、電子時計の内部で指針の位置をカウントしている針位置カウンタの値と、実際の指針の位置とがずれてしまう。
【０００４】
そこで、従来の電子時計では、指針の位置ズレを修正するために複数の指針を基準位置まで移動させる基準位置移動機能を備えたものがある（例えば、特許文献１）。複数の指針を基準位置まで移動させると、位置ズレの生じている指針は基準位置からずれて停止するので、この位置ズレを解消する操作を行って指針の位置を修正することができる。
【先行技術文献】
【特許文献】
【０００５】
【特許文献１】特開平５−１０００５７号公報
【発明の概要】
【発明が解決しようとする課題】
【０００６】
しかしながら、従来の電子時計の基準位置移動機能では、複数の指針が機械的に連動して回転する場合に、これら連動して回転する複数の指針の全てについて基準位置へ移動させる仕様になっていた。そのため、時分秒の３本の指針が機械的に連動して回転する電子時計では、例えば“６時００分００秒”の位置から“００時００分００秒”の基準位置まで３本の指針を移動させるのに、モータに２１６００回のパルスを出力して秒針を３６０回転早送りする必要が生じる。
【０００７】
このように、複数の指針が機械的に連動して回転する構成の場合、従来の電子時計の基準位置移動機能では、複数の指針を基準位置に早送りするまでに長い時間を要するという問題があった。
【０００８】
一方、指針の位置ズレは頻繁に生じるものではないため、通常の使用状態では回転比の小さな指針（例えば時針）の位置ズレは生じることがほとんどなく、回転比の大きな指針（例えば秒針）についてのみ位置ズレが修正できれば良いという実情もある。
【０００９】
この発明の目的は、機械的に連動して回転する複数の回転体（例えば指針や回転円板）がある場合に、これらの回転体を短時間に基準配置にすることのできる電子時計を提供することにある。
【課題を解決するための手段】
【００１０】
上記目的を達成するため、請求項１記載の発明は、
機械的に連動して回転するとともに回転位置により情報を表示する複数の回転体と、該複数の回転体を駆動する駆動手段と、を備えた電子時計において、
前記駆動手段の駆動回数に基づいて前記複数の回転体の回転位置を計数する針位置計数手段と、
該針位置計数手段の計数値により表わされる前記複数の回転体の回転位置が、基準配置に合致した回転位置となるように、前記複数の回転体を前記駆動手段により回転移動させる移動制御手段と、
を備え、
前記基準配置は、
前記複数の回転体のうち回転比が大きい方の１個又は複数の高速回転体が予め定められた回転位置となり、当該複数の回転体のうち前記高速回転体を除く１個又は複数の低速回転体が任意の回転位置にある配置に設定されていることを特徴としている。
【００１１】
請求項２記載の発明は、請求項１記載の電子時計において、
前記複数の回転体は、指針または回転円板を含むことを特徴としている。
【００１２】
請求項３記載の発明は、請求項１記載の電子時計において、
前記移動制御手段により前記複数の回転体が前記基準配置に回転移動した後、当該複数の回転体の位置調整の処理を実行する位置調整手段を備えていることを特徴としている。
【００１３】
請求項４記載の発明は、請求項１記載の電子時計において、
前記複数の回転体は、時針、分針、秒針であり、
前記基準配置は、
前記針位置計数手段の計数値により表わされる回転位置で、前記秒針と前記分針とが０分０秒の回転位置となり、前記時針が任意の回転位置にある配置に設定されていることを特徴としている。
【００１４】
請求項５記載の発明は、請求項３記載の電子時計において、
外部から指令を入力する操作部を備え、
前記位置調整手段は、
前記操作部を介して前記高速回転体の回転位置の修正量を外部から入力する修正量入力手段と、
該修正量入力手段により入力された修正量を前記針位置計数手段の計数値に反映させる計数値反映手段と、
を含んでいることを特徴としている。
【００１５】
請求項６記載の発明は、請求項５記載の電子時計において、
前記調整量入力手段は、
所定の調整可能範囲より大きな調整量の入力を制限することを特徴としている。
【００１６】
請求項７記載の発明は、請求項６記載の電子時計において、
前記調整可能範囲は、前記高速回転体のうち回転比が一番小さい回転体が３６０°回転する調整幅より小さな範囲に設定されていることを特徴としている。
【発明の効果】
【００１７】
本発明に従うと、連動して回転する複数の回転体のうち、回転比の大きい方の回転体が予め定められた回転位置となり、回転比の小さい方の回転体が任意の回転位置にある配置が基準配置として設定され、移動制御手段によって複数の回転体をこの基準配置まで移動させることが可能になっている。従って、回転比の小さい方の回転体についても予め定められた回転位置まで移動させる構成と比較して、回転体の基準配置を達成するまでの時間を顕著に短くすることができる。
【図面の簡単な説明】
【００１８】
【図１】本発明の実施形態の電子時計の内部構成の全体を示すブロック図である。
【図２】本実施形態の電子時計の基準合わせ処理の動作過程を示す説明図である。
【図３】本実施形態の電子時計における基準合わせ処理の制御手順を示すフローチャートである。
【図４】機械的に連動して回転する回転体のその他の例を示す電子時計の正面図である。
【発明を実施するための形態】
【００１９】
以下、本発明の実施の形態を図面に基づいて説明する。
【００２０】
図１は、本発明の実施形態の電子時計１の内部構成の全体を示すブロック図である。
【００２１】
この実施形態の電子時計１は、回転体として３本の指針（秒針４，分針５，時針６；図２（ａ）参照）を文字板２上で回転させて時刻を表示するもので、例えば腕時計の本体となるものである。
【００２２】
この電子時計１は、図１に示すように、上記３本の指針４〜６と、指針４〜６を回転駆動する１個のステッピングモータ（駆動手段）２１と、ステッピングモータ２１から回転運動を伝達して指針４〜６を連動させて回転させる輪列機構２３と、ステッピングモータ２１に駆動電流を出力する駆動回路２２と、光を受けて発電を行うソーラセル２４と、ソーラセル２４で発電された電力を蓄積して各部に供給する二次電池２５と、計時用に一定周期（例えば１秒周期）のタイミング信号を生成する発振回路２６および分周回路２７と、複数の操作ボタンＢ１〜Ｂ３（図２（ａ）参照）を有し外部から指令を入力する操作部２８と、アンテナＡＮを介してタイムコードが含まれる標準電波の受信および復調を行う標準電波受信回路２９と、電子時計１の全体的な制御を行うＣＰＵ１０と、ＣＰＵ１０が実行する制御プログラムや制御データが記憶されたＲＯＭ（Read Only Memory）１１と、ＣＰＵ１０に作業用のメモリ空間を提供するＲＡＭ（Random Access Memory）１２等を備えている。
【００２３】
輪列機構２３は、指針４〜６にそれぞれ個別に結合された複数の歯車と、ステッピングモータ２１のロータとを別の複数の歯車を介して連結してなるものである。そして、ステッピングモータ２１が１ステップ回転することで秒針４を１ステップ（例えば６°）回転させ、秒針４が回転するのに伴って、秒針４と分針５と時針６とが、１：（１／６０）：（１／７２０）の回転比でそれぞれ連動して回転するように構成されている。この輪列機構２３では、３本の指針４〜６が歯車を介して相互に連結された構成になっているため、３本の指針４〜６のうち何れかのみを独立させて回転させることは不可能になっている。
【００２４】
ＲＡＭ１２には、ＣＰＵ１０のソフトウェア処理により、指針４〜６の位置が計数される針位置計数手段としての針位置カウンタ１２ａと、時刻の計数が行われる計時カウンタ１２ｂとが形成される。計時カウンタ１２ｂは、分周回路２７からタイミング信号が入力されるごとに、ＣＰＵ１０により１秒の値が更新されることで、指針４〜６の動きに関係なく現在時刻が計数されていく。針位置カウンタ１２ａは、駆動回路２２にパルス出力を行ってステッピングモータ２１を１ステップ回転するごとに１ステップ分の値が更新されることで、指針４〜６の回転位置を表わす値が計数される。
【００２５】
ＲＯＭ１１には、計時カウンタ１２ｂの値と針位置カウンタ１２ａとの値が対応するように駆動回路２２にパルス出力を行って指針４〜６を駆動させる時刻表示処理のプログラム、所定条件が成立した場合に標準電波受信回路２９を作動させるとともに受信した標準電波からタイムコードを判読して計時カウンタ１２ｂの計時値を修正する時刻修正処理のプログラム、操作部２８からの入力を受けて操作内容に応じた処理を実行する操作入力処理のプログラム、ならびに、指針４〜６を基準配置に移動させて指針４〜６の位置調整の操作入力を受け付ける基準合わせ処理のプログラム等が格納されている。
【００２６】
［基準合わせ処理］
図２には、本実施形態の電子時計の基準合わせ処理の動作過程を表わした説明図を示す。同図（ａ）〜（ｃ）はその第１段階〜第３段階の状態を表わした平面図である。
【００２７】
本実施形態の電子時計１においては、指針４〜６の位置ズレを修正したり、指針４〜６を所定時間分進めたり遅らせたりする設定を行うために、基準合わせ処理が実行される。基準合わせ処理が開始されると、先ず、ＣＰＵ１０は、３本の連動する指針４〜６を時刻表示のときよりも高速回転させて基準配置まで移動させる。
【００２８】
この実施形態では、指針４〜６の基準配置として、回転比の大きな高速回転体としての秒針４と分針５とが予め定められた回転位置（例えば００分００秒）となり、回転比の小さい低速回転体としての時針６が任意の回転位置にある配置が設定される。なお、ここでの指針の位置や配置とは、針位置カウンタ１２ａにより計数されている指針４〜６の位置や配置のことであり、実際の指針４〜６の回転位置と必ずしも一致するものではない。
【００２９】
具体的には、連続的な回転駆動によって秒針４と分針５とが現在の位置から最初に基準位置（００分００秒）へ到達するときの３本の指針４〜６の配置、すなわち、逆回転により基準配置まで移動させる場合には、回転移動前の針位置カウンタ１２ａの計数値から時刻換算で秒桁と分桁の値を切り捨てた値に対応する配置が、指針４〜６の基準配置として設定される。
【００３０】
図２（ａ）は基準合わせ処理の開始時の状態を示しており、針位置カウンタ１２ａの計数値に対して秒針４が＋１０秒だけ位置ズレしている例である。図２（ａ）の段階において、針位置カウンタ１２ａでは、時刻換算で“１０時０８分５５秒”の計数値がカウントされている。従って、この例では、分桁と秒桁の値を切り捨てた“１０時００分００秒”の配置が、指針４〜６の基準配置として設定される。
【００３１】
基準配置が設定されたら、ＣＰＵ１０は駆動回路２２に高速回転用のパルス出力を行って指針４〜６を基準配置になるまで早戻しする。そして、針位置カウンタ１２ａの計数値が上記基準配置の計数値となったら、ステッピングモータ２１へのパルス出力を停止して、指針４〜６の回転を停止させる。図２（ｂ）は３本の指針４〜６が基準配置まで移動して停止した状態を示している。針位置カウンタ１２ａの計数値は“１０時００分００秒”の値であるが、秒針４が＋１０秒だけ位置ズレして停止している。
【００３２】
基準合わせ処理において指針４〜６が基準配置で停止したら、続いて、ＣＰＵ１０は操作部２８を介してユーザによる位置調整量の入力を受け付ける処理を行う。具体的には、指針４〜６を回転移動させる操作指令の入力を行うとともに、この操作指令に基づいて指針４〜６を回転移動させ、この移動量が位置調整量として扱われる。例えば、操作ボタンＢ２を１回押せば−１秒の移動、操作ボタンＢ３を１回押せば＋１秒の移動、操作ボタンＢ２を長押しすれば何れかの操作ボタンＢ１〜Ｂ３が次に操作されるまで順方向に連続早送り、操作ボタンＢ３を長押しすれば何れかの操作ボタンＢ１〜Ｂ３が次に操作されるまで逆方向に連続早戻しとする操作指令の入力処理を行う。但し、位置調整可能な範囲は±１５分と制限され、この範囲より大きく指針４〜６が回転移動しないように制御される。
【００３３】
ここで、ユーザは、指針４〜６をズレのない位置に修正するのであれば、秒針４と分針５とを基準位置（００分００秒）に合わせる操作入力を行う。すなわち、図２（ｃ）に示すように、例えば操作ボタンＢ２を１０回操作するなどして“１０時００分００秒”の位置に修正する。或いは、指針４〜６を所定量（例えば５分）進める調整を行いたいのであれば、操作ボタンＢ３を長押しして“１０時０５分００秒”の位置に調整することもできる。
【００３４】
針位置の調整可能範囲に±１５分の制限を設けているのは、秒針４や分針５の調整パターンの曖昧さを取り除くためである。すなわち、このような制限を設けないと、例えば、２５分の位置ズレがあった場合に、＋３５分の順方向に指針４〜６を回転させた針位置修正と、−２５分の逆方向に指針４〜６を回転させた針位置修正と、複数通りの修正パターンが可能となり、ユーザにどちらで修正すれば良いのか戸惑いを与えかねない。そこで、上記のような範囲制限を設けることで、針位置の修正パターンが一通りとなるようにしている。このように針位置の修正パターンを一通りとするためには、調整可能範囲として最大でも“−２９分５９秒〜＋３０分００秒”など分針５の１回転分より小さい範囲を設定すれば良い。
【００３５】
基準合わせ処理において指針４〜６の修正操作が終わったら、ユーザは操作ボタンＢ１を押して操作完了の入力を行う。すると、針位置カウンタ１２ａの計数値が時刻換算で分桁と秒桁の値が“００分００秒”にリセットされる。これにより指針４〜６の位置調整の内容が針位置カウンタ１２ａに反映されて調整処理が完了する。調整処理が完了したら、例えば、計時カウンタ１２ｂにより計数されている現在時刻の位置まで指針４〜６が早送りされて通常の時刻表示の処理に復帰する。
【００３６】
なお、基準合わせ処理においては、例えば操作ボタンＢ１，Ｂ２を同時押しするなど所定の操作を行うことで、３本の指針４〜６の全てを針位置カウンタ１２ａの計数値で基準位置（００時００分００秒）まで移動させ、その後、３本の指針４〜６の位置調整の操作入力を受け付ける全指針４〜６の位置調整処理へ移行することも可能になっている。全指針４〜６の基準位置への移動処理や位置調整の処理については従来のものと同様である。
【００３７】
全指針４〜６の位置調整処理へ移行可能としたことにより、秒針４や分針５を制限範囲を超えて位置調整したい場合や、時針６についても位置調整したい場合に、それぞれ対応することができる。例えば、メンテナンス時などに電源を強制切断した場合や、二次電池２５の電源が無くなる前の指針４〜６の帰零処理に失敗した場合など、全ての指針４〜６について位置修正を行う場合に有効である。帰零処理とは、電源電圧の低下によりＣＰＵ１０やＲＡＭ１２がオールクリアされても再度復帰した場合に指針４〜６の位置を見失わないように、オールクリア前に指針４〜６を予め定められた基準位置に移動させておく処理である。
【００３８】
図３には、ＣＰＵ１０により実行される基準合わせ処理のフローチャートを示す。
【００３９】
上述の基準合わせ処理は、図３のフローチャートによって実現される。基準合わせ処理では、先ず、ＣＰＵ１０は、指針４〜６を基準配置とする基準位置設定のボタン操作（例えば操作ボタンＢ１の１０秒間押し）があるか否かを確認し（ステップＳ１）、このボタン操作があれば次の処理に進む。一方、このボタン操作がなければボタン操作が有るまでステップＳ１の確認処理を繰り返す。
【００４０】
ボタン操作があって次に進んだら、ＣＰＵ１０は、指針４〜６を基準配置へ移動させる処理（「基準位置設定」と記す）を行う（ステップＳ２）。すなわち、現在の針位置カウンタ１２ａの計数値から時刻換算で分と秒の値を切り捨てた正時（ｘ時００分００秒；ｘは任意）の位置を基準配置として設定し、その後、駆動回路２２へ早戻しのパルス出力を行いながら、針位置カウンタ１２ａを更新して、針位置カウンタ１２ａの値が基準配置の計数値になったらパルス出力を停止する。このステップＳ２の処理により基準配置に回転移動させる移動制御手段が構成される。
【００４１】
指針４〜６を基準配置まで移動させたら、続いて、ボタン操作の確認ループに移行する。すなわち、指針４〜６を回転させるボタン操作の有無の判別（ステップＳ３）、全指針４〜６を基準位置に移動させる処理（「全指針・基準位置設定」と記す）へ移行するためのボタン操作の有無の判別（ステップＳ４）、設定完了のボタン操作の有無の判別（ステップＳ５）を、何れかのボタン操作があるまで繰り返す。
【００４２】
その結果、指針４〜６を回転させるボタン操作が判別されたら、指針４〜６の移動量が上限値（±１５分）を超えていないか判定し（ステップＳ６）、超えていなければ操作内容に応じて順方向または逆方向に指針４〜６を回転駆動する（ステップＳ７）。そして、再びステップＳ３〜Ｓ５のループ処理に戻る。
【００４３】
一方、ステップＳ３〜Ｓ５のループ処理で、設定完了のボタン操作が判別されたら、針位置カウンタ１２ａの計数値を時刻換算で分桁と秒桁の値を“００分００秒”にリセットする（ステップＳ８）。そして、ステップＳ３〜Ｓ５のループ処理を抜けて、ステップＳ１４に移行する。
【００４４】
上記のステップＳ３，Ｓ６，Ｓ７の処理により、指針４〜６の位置調整量を入力する調整量入力手段が構成され、上記のステップＳ８の処理により計数値反映手段が構成される。また、これらを合わせて指針４〜６の位置調整の処理行う位置調整手段が構成される。
【００４５】
一方、ステップＳ３〜Ｓ５のループ処理で、全指針・基準位置設定に移行するボタン操作が判別されたら、先ず、針位置カウンタ１２ａの計数値が時刻換算で“００時００分００秒”となるまで、全指針４〜６を早送りさせる（ステップＳ９）。指針４〜６を移動させたら、続いて、指針４〜６を回転させるボタン操作の判別処理（ステップＳ１０）と、設定完了のボタン操作の判別処理（ステップＳ１１）とからなるループ処理に移行する。そして、指針４〜６を回転させるボタン操作が判別されたら、操作内容に応じて指針４〜６を回転させて（ステップＳ１２）、ステップＳ１０，Ｓ１１のループ処理に戻る。また、設定完了のボタン操作が判別されたら、針位置カウンタ１２ａの計数値を時刻換算で“００時００分００秒”の値にリセットする（ステップＳ１３）。そして、ステップＳ１４に移行する。
【００４６】
ステップＳ８或いはステップＳ１３からステップＳ１４に移行したら、ＣＰＵ１０は、リセットされた新たな針位置カウンタ１２ａの計数値を用いて、例えば現在時刻の位置まで指針４〜６を早送りすることで基準位置設定を解除する。そして、この基準合わせ処理を終了する。
【００４７】
以上のように、この実施形態の電子時計１によれば、指針４〜６が移動される基準配置として、秒針４と分針５が予め定められた回転位置（００分００秒）となり、時針６が任意の回転位置にされる基準配置が設定されている。それゆえ、３本の指針４〜６の全てを基準位置（００時００分００秒）へ移動させる構成と比較して、指針４〜６を基準配置へ移動させるのにかかる時間を顕著に短くすることができる。また、指針４〜６を基準配置とするのにかかる消費電力を顕著に低減することができる。
【００４８】
また、この実施形態の基準合わせ処理では、指針４〜６が基準配置となった後に、秒針４や分針５の位置調整を行うことが可能になっている。従って、この位置調整の処理によって、秒針４や分針５の位置ズレを解消したり、秒針４や分針５をわざと所定時間だけ進ませたり遅らせたり位置調整することができる。通常の針ズレや針位置調整では、時針６の位置まで調整を要することは稀であるため、秒針４や分針５の調整のみで十分な効果が図れる。
【００４９】
また、上記の位置調整の処理では、操作ボタンＢ２，Ｂ３の操作によって秒針４や分針５を回転させることで秒針４や分針５の位置ズレや位置ずらしの調整量を外部から入力し、この調整量が針位置カウンタ１２ａに反映されることで、指針４〜６の位置調整が達成されるので、ユーザは指針４，５の位置ズレの修正や位置調整を直感的に且つ容易に行うことができる。また、この位置調整の処理により、時刻表示など指針４〜６を用いたその後の処理において位置調整が反映された指針４〜６の動作が実現される。
【００５０】
また、秒針４と分針５のみの位置調整処理では、秒針４や分針５の位置調整量が±１５分の範囲に制限されているので、ユーザは時針６の位置に惑わされずに秒針４と分針５の位置調整を遂行することができる。すなわち、位置調整量の範囲制限がないと、ユーザが秒針４と分針５とを所望の位置まで移動させる操作を行うのに、順回転と逆回転の何れの回転により移動させるべきか、ユーザに戸惑いを与えかねない。しかし、上記の位置調整量の制限により、このような戸惑いを無くすことができる。
【００５１】
また、上記実施形態では、位置調整量の可能範囲が、±１５分などと、分針５が３６０°回転する調整幅より小さな範囲に設定されているので、順回転と逆回転との両方で行える調整パターンを皆無とすることができる。
【００５２】
なお、本発明は、上記実施の形態に限られるものではなく、様々な変更が可能である。図４（ａ），（ｂ）には、機械的に連動して回転する回転体のその他の例を表わした電子時計１Ｂ，１Ｃの正面図を示す。例えば、回転位置により情報を表示する回転体としては、図４（ａ）の小窓Ｄ１〜Ｄ３内で回転する小針７〜９や、図４（ｂ）の文字板２ｃの下側で回転するとともに文字板２ｃの開口窓２ｄから一部を露出させて日付等の情報を表示する回転円板３などを含めることができる。
【００５３】
そして、機械的に連動して回転する回転体の組み合わせについても、上記実施形態では時分秒の３本の指針４〜６の組み合わせとしているが、例えば、分針５と時針６のみの組み合わせとしたり、秒針４と分針５の組み合わせとしたり、時分秒の指針４〜６と２４時間計の小針７との組み合わせとしたり、分針５と時針６と回転円板３の組み合わせとするなど、種々の組み合わせが可能である。
【００５４】
また、それぞれの連動する回転体の組み合わせごとに、基準配置でどの回転体を所定の回転位置とし、どの回転体を任意の回転位置とするかについても種々の選択が可能である。例えば４本の指針４〜７が機械的に連動して回転する構成である場合、秒針４と分針５が予め定められた回転位置となり、時針６と小針７が任意の回転位置となる配置を基準配置として選択することができる。また、秒針４のみが予め定められた回転位置となり、残りの３本の指針５〜７が任意の回転位置となる配置を基準配置として選択することもできる。また、時針６と回転円板３が機械的に連動して回転する構成である場合、時針６が予め定められた回転位置となり、回転円板３が任意の回転位置となる配置を基準配置として選択することもできる。
【００５５】
また、上記実施形態では、指針４〜６の基準配置を、回転移動前の針位置カウンタ１２ａの計数値から時刻換算で分桁と秒桁の値を切り捨てた値に対応する配置とする例を示しているが、例えば、分桁と秒桁の値を切り上げた値に対応する配置を基準配置として適用することもできる。また、順回転と逆回転の移動速度差も考慮に入れて何れか速く到達可能な方を選択的に基準配置として選択するようにしても良い。
【００５６】
その他、指針４〜６の基準配置として、秒針４や分針５は所定の回転位置とする一方、時針６については回転移動前から２時間や３時間加算または減算した回転位置とする配置を、指針４〜６の基準配置としても良い。この場合でも、基準配置として時針６も所定の回転位置に設定されている場合と比較すれば、多くの場合に、短時間で指針４〜６を基準配置まで移動させることが可能となる。
【００５７】
また、上記実施形態では、指針４〜６の位置調整の処理において、設定完了の操作に基づき針位置カウンタ１２ａの秒桁と分桁の値をリセットすることで、指針４〜６の位置調整量を針位置カウンタ１２ａの計数値に反映させる構成としているが、例えば、指針４〜６を基準配置へ移動させた直後から設定完了の操作が行われるまで、指針４〜６の回転操作がなされても針位置カウンタ１２ａの計数値が更新されないように制御することで、指針４〜６の位置調整量を針位置カウンタ１２ａの計数値に反映させる構成としても良い。
【００５８】
その他、予め定められた回転位置は００秒や００分の位置に制限されるものではないし、針位置カウンタや計時カウンタをハードウェアにより構成するようにしても良いなど、実施の形態で示した細部等は発明の趣旨を逸脱しない範囲で適宜変更可能である。
【符号の説明】
【００５９】
１    電子時計
２    文字板
３    回転円板
４〜６  指針
７〜９  小針
１０  ＣＰＵ
１１  ＲＯＭ
１２  ＲＡＭ
１２ａ  針位置カウンタ
１２ｂ  計時カウンタ
２１    ステッピングモータ
２３    輪列機構
２８    操作部
Ｂ１〜Ｂ３  操作ボタン
【図１】
2011022105.tif 000003
【図２】
2011022105.tif 000004
【図３】
2011022105.tif 000005
【図４】
2011022105.tif 000006